(57)【要約】【課題】広い面積でＬＥＤ光源を拡散させる部分を有しつつも、屋外に設置可能で取付けやすい屋外用照明装置を提供すること。【解決手段】押し出し成形の樹脂により構成される中空で長尺のケース部２と、ケース部２の内部に配置されるＬＥＤ光源３と、ケース部２に沿うとともに、ケース部２の背面に取り付けられる金属製の支持部４と、を備える屋外用照明装置１である。ケース部２の一方の端部と、支持部４の一方の端部との間に配置され、支持部４を他方側に付勢しながら支持部４をケース部２に対して固定するコイルばね５をさらに備え、支持部４は、ケース部２より短いことが好ましい。【選択図】図１
2019175814.tif 000002
【特許請求の範囲】
【請求項１】
押し出し成形の樹脂により構成される中空で長尺のケース部と、
前記ケース部の内部に配置されるＬＥＤ光源と、
前記ケース部に沿うとともに、前記ケース部の背面に取り付けられる金属製の支持部と、を備える屋外用照明装置。
【請求項２】
前記ケース部の一方の端部と、前記支持部の一方の端部との間に配置され、前記支持部を他方側に付勢しながら前記支持部を前記ケース部に対して固定するばねをさらに備え、
前記支持部は、前記ケース部より短い、請求項１に記載の屋外用照明装置。
【請求項３】
前記支持部は、前記屋外用照明装置を屋外に設置するための部品を取り付け可能な取付溝を有する、請求項１又は２に記載の屋外用照明装置。
【発明の詳細な説明】
【技術分野】
【０００１】
本発明は、屋外用照明装置に関する。
【背景技術】
【０００２】
従来、ＬＥＤ光源を用いた照明装置において、建物の壁や構造物の縁に沿って取り付けられるような長尺の形状に構成したものが知られている。具体的には、光源からの光を透過して照射する側に樹脂製のケース部を配置し、ケース部の端部を囲むように剛性を有する支持部を配置した照明装置が提案されている（例えば、特許文献１参照）。
【先行技術文献】
【特許文献】
【０００３】
【特許文献１】特開２０１２−１８１９３３号公報
【発明の概要】
【発明が解決しようとする課題】
【０００４】
ＬＥＤ光源は、点のような狭い領域から光が照射され、直進方向の領域のみが明るく照らされるという光の配向特性を有する。このため、より広い範囲を照らすためには、光を拡散させながら透過する樹脂のケース部の面積を大きくすることが求められる。しかしながら、樹脂は剛性及び強度が金属等と比べると弱いため、屋外に設置する場合には、樹脂のみの部分があると問題が生じやすかった。このため、広い面積でＬＥＤ光源を拡散させる部分を有しつつも、屋外に設置可能で取付けやすい屋外用照明装置が望まれていた。
【課題を解決するための手段】
【０００５】
本発明は、押し出し成形の樹脂により構成される中空で長尺のケース部（例えば、後述のケース部２）と、前記ケース部の内部に配置されるＬＥＤ光源（例えば、後述のＬＥＤ光源３）と、前記ケース部に沿うとともに、前記ケース部の背面に取り付けられる金属製の支持部（例えば、後述の支持部４）と、を備える屋外用照明装置（例えば、後述の屋外用照明装置１）に関する。
【０００６】
前記ケース部の一方の端部と、前記支持部の一方の端部との間に配置され、前記支持部を他方側に付勢しながら前記支持部を前記ケース部に対して固定するばね（例えば、後述のコイルばね５）をさらに備え、前記支持部は、前記ケース部より短いことが好ましい。
【０００７】
前記支持部は、前記屋外用照明装置を屋外に設置するための部品を取り付け可能な取付溝（例えば、後述の取付溝４５）を有することが好ましい。
【発明の効果】
【０００８】
本発明によれば、広い面積でＬＥＤ光源を拡散させる部分を有しつつも、屋外に設置可能で取付けやすい屋外用照明装置を提供することができる。
【図面の簡単な説明】
【０００９】
【図１】本実施形態の屋外用照明装置を示す正面図である。
【図２】図１の縦断面図である。
【図３】図１のＡ−Ａ線における部分拡大断面図である。
【図４】本実施形態の屋外用照明装置を下から見た部分底面図である。
【発明を実施するための形態】
【００１０】
以下、本発明の実施形態について、図面を参照しながら詳細に説明する。
図１は、本実施形態の屋外用照明装置１を示す正面図である。図２は、図１の縦断面図、図３は図１のＡ−Ａ線における部分拡大断面図である。
屋外用照明装置１（以下、単に照明装置１とも言う）は、屋外の建物や構造物等の縁に取り付け可能な長尺の略直方体の形状である。照明装置１は、ケース部２と、ＬＥＤ光源３と、支持部４と、コイルばね５と、プラグ７と、を有する。照明装置１は、例えば後述する取付ブロック６により外部の構造物に取り付けられる。
【００１１】
図２及び図３に示すように、照明装置１の発光体として、ＬＥＤ光源３が用いられる。ＬＥＤ光源３は、照明装置１の長手方向に沿って配置される。具体的には、ＬＥＤ光源３は、基板３１とＬＥＤ素子３２とを有し、基板３１が照明装置１の一方から他方へ延び、基板３１の上に、間隔を空けてＬＥＤ素子３２が複数並んで配置されている。ＬＥＤ光源３は、以下に説明するケース部２の内部に配置される。
なお、本明細書において、説明の便宜上、上下とは、ＬＥＤ光源３が照らす先の方を上とし、発光元側を下とする。
【００１２】
ケース部２は、アクリル樹脂の押し出し成形による長尺の型材で構成され、ＬＥＤ光源３から発光する光を拡散するように表面が粗く、半透明に形成されている。また、ケース部２は、図３に示すように、内部が中空で断面視略四角形の枠状に形成されている。ケース部２は押し出し型材であるため、長手方向の一方から他方まで同じ断面形状を有している。ケース部２は、上面部２１と、一対の側面部２２と、底面部２３と、一対のケース部側係止片２４と、を有する。
【００１３】
上面部２１は、平面視で長尺の四角形であり、ケース部２の内部に配置されるＬＥＤ光源３に対向して配置される。
【００１４】
一対の側面部２２は、上面部２１の幅方向の一方及び他方の端部から下方に延びる。側面部２２は、上面部２１から側面部２２の高さ方向の半分を超えるまでは、上面部２１と略同じ幅で下方へ延びる。側面部２２は、半分よりも下側で幅が小さくなるように形成される段差２２ａを有し、段差２２ａから下方へは、同じ間隔で下端まで延びる。
【００１５】
底面部２３は、上面部２１に対向して配置され、上面部２１と平行に延びる。底面部２３の上に、ＬＥＤ光源３が配置される。底面部２３は、上面部２１よりも幅が狭く形成される。
【００１６】
一対のケース部側係止片２４は、底面部２３の下面における幅方向の一方及び他方の端部の内側で下方に突出するとともに幅方向外側へ屈曲する。一対のケース部側係止片２４は、断面視Ｌ字型に形成され、以下に説明する支持部４に係止する。
【００１７】
ケース部２は、上述の通り筒状であるため、長手方向の一方と他方の端部に端部キャップ２７ａ、２７ｂが嵌め込まれ、端部が塞がれる。一方側の端部キャップ２７ａには、後述するコイルばねを取り付ける突起２７１が形成されている。
【００１８】
支持部４は、ケース部２に沿って、ケース部２の背面（下面）に取り付けられるアルミ製のレール部材である。支持部４は、ケース部２よりも長手方向の長さが短い。支持部４は、照明装置１の長手方向の一方の端部側（図２における右側）では、ケース部２の端部よりも他方側寄りに支持部４の端部が配置されている。また、支持部４は、照明装置１の長手方向の他方の端部側（図２における左側）では、ケース部２の他方の端部を覆う端部キャップ２７ｂに突き当てて配置されている。支持部４は、支持台部４１と、一対の支持部側側面部４２と、一対の取付脚４３と、を有する。
【００１９】
支持台部４１は、平面視では長尺の四角形であり、断面視では、幅方向の中央部が幅方向の両側よりも高さ方向に盛り上がった肉厚部４１１を有する。支持台部４１は、ケース部２に組み付けた状態でケース部２の底面部２３の下側に配置され、肉厚部４１１は、ケース部２のケース部側係止片２４の間に挟まれる。
【００２０】
一対の支持部側側面部４２は、支持台部４１の幅方向の一方及び他方から上方に向かって延出する。一対の支持部側側面部４２の上端４２ａは、ケース部２の側面部２２の幅が狭くなった段差２２ａに突き当たるように配置される。
一対の支持部側側面部４２の外側面は上下方向に平坦に延びて形成される。ケース部２と組み合された状態で、一対の支持部側側面部４２の外側面は、ケース部２の側面部２２と面一に延びる。
一対の支持部側側面部４２が向き合う内側面には、高さ方向の支持台部４１寄りで互いに向かって突出する一対の係止突起４２ｂが形成される。一対の係止突起４２ｂと、支持台部４１の幅方向の端部との間に、ケース部側係止片２４が挟持されて、一対の支持部側側面部４２とケース部側係止片２４とが係止される。
【００２１】
一対の取付脚４３は、支持台部４１の幅方向の一方及び他方から、下方に向かって突出するとともに幅方向内側に屈曲する。一対の取付脚４３は、断面視Ｌ字型に形成され、支持台部４１の下面と一対の取付脚４３とにより、照明装置１を外部の構造体に取り付ける取付溝４５が構成される。
【００２２】
図４は、照明装置１を下から見た部分図であり、プラグ７は省略して示している。
コイルばね５は、図４に示すように、照明装置１の一方の端部側に配置される。コイルばね５は、ケース部２と支持部４との長さが異なることで形成される、ケース部２の一方の端部と、支持部４の一方の端部との間の空間に配置される。
コイルばね５の一方の端部は、ケース部２の一方の端部の端部キャップ２７ａの突起に係止させてケース部２に取り付けられる。
コイルばね５の他方の端部は、支持部４の一方の端部に取り付けられるばねストッパー４４の突起４４１に取り付けられている。
コイルばね５は、常に支持部４を他方側へ押すように付勢しており、ケース部２と支持部４に両端が取り付けられることで、支持部４をケース部２に対して固定している。
【００２３】
図４に示すように、取付ブロック６は、一対の取付脚４３の間に取り付けられるブラケットである。取付ブロック６は、照明装置１を屋外に設置するための部品である。取付ブロック６は、本体部６１と、一対の係止突起６２と、貫通孔６３と、を有する。
【００２４】
本体部６１は長方形の平板であり、長手方向が照明装置１の長手方向に沿うように取り付けられる。本体部６１の幅は、支持部４の幅と略同じである。
【００２５】
一対の係止突起６２は、図３に示すように、本体部６１の幅方向の一方及び他方から上方に突出するとともに幅方向外側に屈曲する。一対の係止突起６２は、支持部４の取付脚４３が幅方向の内側に屈曲した向かい合う端部よりもさらに幅方向内側から上方に向かって突出し、外側に屈曲することで、取付脚４３と係合する。
【００２６】
貫通孔６３は、本体部の長手方向及び幅方向の中央部に形成され、ネジ６４が挿通する。ネジ６４により照明装置１が外部の構造物に取り付けられる。
【００２７】
プラグ７は、図２に示すように、ケース部２の一方の端部における下方に配置される。プラグ７は、ＬＥＤ光源３と接続されるケーブル７１の下端に設けられる。詳細には、ケーブル７１の他方側の端部が、ＬＥＤ光源３の基板３１に接続される。ケーブル７１は、ケース部２の一方側に配置されるケーブル押さえ部７２によって動かないように固定され、端部キャップ２７ａの内部を挿通して下方に延びる。ケーブル７１の一方の端部は、プラグ７に接続される。プラグ７は、外部の電源と接続される。
【００２８】
次に、照明装置１の組み立て方について説明する。
ケース部２の底面部２３には、ＬＥＤ光源３を取り付けておく。上述の通り、ケース部２は、長手方向の一方から他方まで同じ断面を有している。ケース部２の一方の端部を、支持部４の他方の端部側に突き合わせて、ケース部側係止片２４を支持部４の支持台部４１と係止突起４２ｂの間に係止させながらケース部２を一方側へスライド移動させることで、ケース部２と支持部４が組み合わされる。支持部４は、ケース部２の背面、すなわち、上面部２１側に光が照射され、その上面部２１の後ろ側となる底面部２３の下面に沿って取り付けられる。
【００２９】
同様に、取付ブロック６の貫通孔６３にネジ６４を挿入した状態で、取付ブロック６の係止突起６２を支持部４の取付脚４３に係止させる。そして支持部４の取付溝４５に取付ブロック６をスライド移動させ、取り付ける。
【００３０】
次に、組み合わされたケース部２と支持部４の他方側の端部に端部キャップ２７ｂを嵌める。また、支持部４の一方側の端部にばねストッパー４４を嵌める。
【００３１】
ケース部２の一方側では、ＬＥＤ光源３の基板３１に接続したケーブル７１をケーブル押さえ部７２で固定する。また、ケーブル７１を、端部キャップ２７ａに設けられた孔に通しておく。
【００３２】
次に、ばねストッパー４４の突起にコイルばね５の他方の端部を取り付けながら、コイルばね５の一方の端部に端部キャップ２７ａの突起２７１を嵌め、組み合わされたケース部２と支持部４の一方側の端部に端部キャップ２７ａを嵌める。
【００３３】
この状態で、支持部４を、取付ブロック６を介して照明装置１を取り付けたい屋外の構造物に取り付けることができる。支持部４が取り付けられると、支持部４に底面部２３側が係合したケース部２は、上面部２１と、一対の側面部２２の三方が露出する。ケース部２は樹脂製なので、ＬＥＤ光源３から照射される光がケース部２の三面から拡散し、より広い領域に光を拡散させる。
【００３４】
照明装置１を屋外に設置すると、冬季には、気温の低下によりアクリル樹脂で構成されているケース部２が縮む。ケース部２は支持部４よりも長いので、ケース部２が縮むとコイルばね５も併せて縮む。一方、夏季には、気温の上昇によりケース部２が膨張して伸びる。ケース部２が伸びると、コイルばね５も伸長する。上述の通り、コイルばね５が常にケース部２の一方の端部と支持部４の一方の端部を他方側へ付勢しているので、ケース部２が伸び縮んでもケース部２と支持部４の接続ががたつかず、取り付けられた状態で安定する。
【００３５】
本実施形態によれば、以下の効果が奏される。
本実施形態では、屋外用照明装置１を、押し出し成形の樹脂により構成される中空で長尺のケース部２と、ケース部２の内部に配置されるＬＥＤ光源３と、ケース部２に沿うとともに、ケース部２の背面に取り付けられる金属製の支持部４と、含んで構成した。ケース部２は樹脂の押し出し型材であるため、支持部４を取り付けるための溝を形成することができる。そして支持部４をケース部２の背面側に取り付けることにより、ケース部２の背面以外の広い領域、例えば上面部２１及び一対の側面部２２からＬＥＤ光源３の光を拡散させることができる。また、支持部４を介して屋外の構造物に屋外用照明装置１を取り付けることができるので、取り付けやすい。
【００３６】
本実施形態では、ケース部２の一方の端部と、支持部４の一方の端部との間に配置され、支持部４を他方側に付勢しながら支持部４をケース部２に対して固定するコイルばね５をさらに含んで構成した。ケース部２と支持部４とをコイルばね５で付勢しながら固定しているので、熱によりケース部２や支持部４が伸縮しても、コイルばね５がこれらの部品の伸縮を吸収する。したがって、別部品で覆う必要がなくなり、屋外用照明装置１を小さくすることが可能になり、意匠性が向上する。さらに、コイルばね５によりケース部２及び支持部４を付勢して接続するので、互いに異なる素材がネジ留め等で固定されず、フリーな状態で接続されるので、熱収縮により位置がずれても破損等の懸念がなくなる。よって、耐久性も向上する。
【００３７】
本実施形態では、支持部４を、屋外用照明装置１を取付ブロック６を取り付け可能な取付溝４５を含んで構成した。
支持部４の取付溝４５を介して取付ブロック６を取り付けることができるので、施工性が向上する。取付溝４５を利用することで、ケース部２や支持部４に直接ネジ留め等をする必要がなくなるので、ケース部２や支持部４の耐久性が向上する。
【００３８】
以上、本発明の好ましい実施形態について説明したが、本発明は、上述の実施形態に制限されるものではなく、適宜変更が可能である。
【００３９】
例えば、上記実施形態では、ケース部２は、上面部２１及び一対の側面部２２を有し、支持部４と組み合わせて長尺の四角形の形状を有するものとして説明したが、これに限られない。ケース部の形状は、曲面を有していてもよく、所定のパターンの立体的な形状に形成されてもよい。ケース部２と支持部４を係止させる部分の形状を変えずに、ケース部２の上面部近傍を自在な形状に設計してよく、設置場所の目的等に合わせて、屋外用照明装置の設計の自由度が向上する。
【００４０】
また、上記実施形態では、取付溝４５に取付ブロック６が取り付けられているが、これに限られない。また、取付溝４５に取り付ける部材は自由に変更することもでき、取付溝４５を外部の構造物の長尺の凸部に係止させてもよい。
【００４１】
また、上記実施形態では、支持部４はアルミにより構成されているが、これに限られない。ケース部２を支持し、屋外に設置するのに必要な強度と剛性が得られる金属であれば、材料は特に限定されない。
【符号の説明】
【００４２】
１    屋外用照明装置
２    ケース部
３    ＬＥＤ光源
４    支持部
５    コイルばね（ばね）
４５  取付溝
【図１】
2019175814.tif 000003
【図２】
2019175814.tif 000004
【図３】
2019175814.tif 000005
【図４】
2019175814.tif 000006